(57)【要約】【課題】モジュール式電源分配装置を提供する。【解決手段】メイン遮断器用端子２、分岐遮断器用端子３，４及び追加用端子５と連結される電源の分配線路を保護するケース１と、ケース１の上面に位置し、メイン遮断器電源と線路によって連結される複数個のメイン遮断器用端子２と、ケース１の両側面に位置し、分岐遮断器電源と線路によって連結される複数個の分岐遮断器用端子３，４と、ケース１の下面に位置し、ケース１の表面を陥没させて形成され、外部の他の負荷端子追加の分配線路連結と連結される複数個の追加用端子５と、ケース１内でメイン遮断器用端子２と分岐遮断器用端子３，４とが線路によって連結され電源を供給されて流れた電流量を検出する変流器と、変流器を通じて検出された電流データであるアナログデータをデジタルデータに変換させるＡ／Ｄ変換器と、Ａ／Ｄ変換器で変換されたデータを表示する表示部と、を含む。【選択図】図１
0003152691.tif 000002
【実用新案登録請求の範囲】
【請求項１】
モジュール式電源分配装置において、
メイン遮断器用端子、分岐遮断器用端子及び追加用端子と連結される電源の分配線路を保護するケースと、
前記ケースの上面に位置し、メイン遮断器電源と線路によって連結される複数個のメイン遮断器用端子と、
前記ケースの両側面に位置し、分岐遮断器電源と線路によって連結される複数個の分岐遮断器用端子と、
前記ケースの下面に位置し、前記ケースの表面を陥没させて形成され、外部の他の負荷端子と連結または追加の分配線路と連結される複数個の追加用端子と、を含むことを特徴とするモジュール式電源分配装置。
【請求項２】
モジュール式電源分配装置において、
メイン遮断器用端子、分岐遮断器用端子及び追加用端子と連結される電源の分配線路を保護するケースと、
前記ケースの上面に位置し、メイン遮断器電源と線路によって連結される複数個のメイン遮断器用端子と、
前記ケースの両側面に位置し、分岐遮断器電源と線路によって連結される複数個の分岐遮断器用端子と、
前記ケースの下面に位置し、前記ケースの表を陥没させて形成され、外部の他の負荷端子または追加の分配線路と連結される複数個の追加用端子と、
前記ケース内でメイン遮断器用端子と分岐遮断器用端子とが線路によって連結され電源を供給されて流れた電流量を検出する変流器と、
前記変流器を通じて検出された電流データであるアナログデータをデジタルデータに変換させるＡ／Ｄ変換器と、
前記ケースの表面に位置し、前記Ａ／Ｄ変換器で変換されたデータを表示する表示部と、を含むことを特徴とするモジュール式電源分配装置。
【請求項３】
前記メイン遮断器用端子と分岐遮断器用端子とを連結する線路は、並列連結されている請求項１または２に記載のモジュール式電源分配装置。
【請求項４】
前記メイン遮断器用端子、分岐遮断器用端子及び追加用端子との連結は、ボルトによる締結によって行われる請求項１または２に記載のモジュール式電源分配装置。
【考案の詳細な説明】
【技術分野】
【０００１】
本考案は、モジュール式電源分配装置に係り、より詳細には、産業用、家庭用電気分電盤及び配電盤の電源を分離させるものであって、分電盤、配電盤と簡単に連結されるようにボルト組立式にモジュール化して、従来のように複雑な製造工程を経ずに簡単に着脱可能であり、規格化による生産性の向上を図り、通常のユーザが、配線用遮断器の着脱程度の技術のみでも製造可能であってリサイクルが可能であり、電気使用量による電流を変流器を通じて検出して表示装置でディスプレイでき、出力端子を通じて使う電流の流れを外部に供給することができ、産業用分電盤及び配電盤の製作時にブスバーを無くし、完全に密閉されたモジュール化で簡便にすることによって、ブスバーとアクリルカバーとによって発生する感電事故、地絡及び短絡、並びに火災時に有毒ガスの発生を予防することができるモジュール式電源分配装置に関する。
【背景技術】
【０００２】
一般的に、産業用、家庭用電気分電盤及び配電盤の電源を分離させるためには、メイン遮断器、分岐遮断器及び漏電遮断器など各種の遮断器が必要である。したがって、分電盤、配電盤はその製造が技術的に難しく、ブスバー加工機という特殊設備がなければ、製造できないという問題点がある。
【０００３】
また、通常、電気分電盤及び配電盤の電源は分離されるが、ブスバーを用いて母線に連結して遮断器に付ける方式になっており、前記ブスバーにホール加工、タップ加工、面取り加工、コーティング、チューブ折曲及び切断などの複雑な製造工程を経ねばならないので、過剰なコストが発生し、特殊設備（ブスバー加工機）を取り揃えた所だけが製作可能であるので、納期の遅延を発生させる原因となる。
【０００４】
また、分電盤、配電盤を分解する場合、部品が規格化されていないために、リサイクルが不可能で廃棄処分するしかない。また、充電部を保護するために鉄材を保護カバーとして使わなければならないので、製作の便宜上、充電部は簡単にアクリルカバーによって覆われる。しかし、このような場合、火災時にアクリルから有毒ガスが発生するという問題点、また、点検時または遮断器の取り替え時に充電部が露出されて、異物による感電事故、短絡事故及び地絡事故が発生するという問題点がある。
【考案の概要】
【考案が解決しようとする課題】
【０００５】
本考案は、前記問題点を解決するために着想されたものであって、産業用、家庭用電気分電盤及び配電盤の電源を分離させるものであって、分電盤、配電盤と簡単に連結されるようにボルト組立式にモジュール化して、従来のように複雑な製造工程を経ずに簡単に着脱可能であり、規格化による生産性を高めることができるモジュール式電源分配装置を提供することにその目的がある。
【０００６】
本考案の他の目的は、通常のユーザが、配線用遮断器の着脱程度の技術のみでも製造可能であって、リサイクル可能なモジュール式電源分配装置を提供することである。
【０００７】
本考案のさらに他の目的は、電気使用量による電流を変流器を通じて検出して表示装置でディスプレイでき、出力端子を通じて使う電流の流れを外部に供給することができるモジュール式電源分配装置を提供することである。
【０００８】
本考案のさらに他の目的は、産業用分電盤及び配電盤の製作時にブスバーを無くし、完全に密閉されたモジュール化で簡便にすることによって、ブスバーとアクリルカバーとによって発生する感電事故、地絡及び短絡、並びに火災時に有毒ガスの発生を予防することができるモジュール式電源分配装置を提供することである。
【課題を解決するための手段】
【０００９】
前記目的を果たすための本考案の望ましい実施形態によるモジュール式電源分配装置は、メイン遮断器用端子、分岐遮断器用端子及び追加用端子と連結される電源の分配線路を保護するケースと、前記ケースの上面に位置し、メイン遮断器電源と線路によって連結される複数個のメイン遮断器用端子と、前記ケースの両側面に位置し、分岐遮断器電源と線路によって連結される複数個の分岐遮断器用端子と、前記ケースの下面に位置し、前記ケースの表面を陥没させて形成され、外部の他の負荷端子または追加の分配線路と連結される複数個の追加用端子と、を含むことを特徴とする。
【００１０】
前記本考案は、メイン遮断器用端子、分岐遮断器用端子及び追加用端子と連結される電源の分配線路を保護するケースと、前記ケースの上面に位置し、メイン遮断器電源と線路によって連結される複数個のメイン遮断器用端子と、ケースの両側面に位置し、分岐遮断器電源と線路によって連結される複数個の分岐遮断器用端子と、前記ケースの下面に位置し、前記ケースの表面を陥没させて形成され、外部の他の負荷端子または追加の分配線路と連結される複数個の追加用端子と、前記ケース内でメイン遮断器用端子と分岐遮断器用端子とが線路によって連結され電源を供給されて流れた電流量を検出する変流器と、前記変流器を通じて検出された電流データであるアナログデータをデジタルデータに変換させるＡ／Ｄ変換器と、前記ケースの表面に位置し、前記Ａ／Ｄ変換器で変換されたデータを表示する表示部と、を含むことを特徴とする。
【００１１】
前記本考案において、前記メイン遮断器用端子と分岐遮断器用端子とを連結する線路は、並列連結することができる。
【００１２】
前記本考案において、メイン遮断器用端子と分岐遮断器用端子及び追加用端子との連結は、ボルトによるが締結によって行うことができる。
【考案の効果】
【００１３】
本考案によるモジュール式電源分配装置は、次のような効果を奏する。
【００１４】
第一に、本考案は、産業用、家庭用電気分電盤及び配電盤の電源を分離させるものであって、分電盤、配電盤と簡単に連結されるようにボルト組立式にモジュール化して、従来のように複雑な製造工程を経ずに簡単に着脱可能であるので、規格化による生産性を高めうる。
【００１５】
第二に、本考案は、通常のユーザが、配線用遮断器の着脱程度の技術のみでも製造可能であって、リサイクルが可能である。
【００１６】
第三に、本考案は、電気使用量による電流を変流器を通じて検出して表示装置でディスプレイでき、出力端子を通じて使う電流の流れを外部に供給することができる。
【００１７】
第四に、本考案は、産業用分電盤及び配電盤の製作時にブスバーを無くし、完全に密閉されたモジュール化で簡便にすることによって、ブスバーとアクリルカバーとによって発生する感電事故、地絡及び短絡、並びに火災時の有毒ガスの発生を予防することができる。
【図面の簡単な説明】
【００１８】
【図１】本考案の一実施形態によるモジュール式電源分配装置を表わした図面である。
【図２】本考案の一実施形態によるモジュール式電源分配装置から検出された電流量を表示する表示部を含んで表わした図面である。
【図３】本考案の一実施形態によるモジュール式電源分配装置の正面を表わした図面である。
【図４】本考案の一実施形態によるモジュール式電源分配装置を具現する回路図を表わした図面である。
【図５】本考案の一実施形態によるモジュール式電源分配装置を表わした斜視図である。
【図６】本考案の一実施形態によるモジュール式電源分配装置が、メイン遮断器及び分岐遮断器と連結されて組み立てられた図面である。
【図７】本考案の一実施形態によるモジュール式電源分配装置が、メイン遮断器及び分岐遮断器と連結されて組み立てられた正面の形状を表わした図面である。
【図８】本考案の一実施形態によるモジュール式電源分配装置が、家庭用世帯分電箱と連結された状態を表わした図面である。
【考案を実施するための形態】
【００１９】
以下、添付した図面とともに本考案の望ましい実施形態を説明するが、本考案を説明するに当って、関連した公知技術または構成についての具体的な説明が、本考案の要旨を不明にする恐れがあると判断される場合には、その詳細な説明は省略し、後述する用語は、本考案での機能を考慮して定義された用語であって、これは、ユーザ、運用者の意図または慣例などによって変わりうるので、その定義は、本考案であるモジュール式電源分配装置を説明する本明細書全般に亘った内容に基づいてなされなければならない。
【００２０】
図１は、本考案の一実施形態によるモジュール式電源分配装置を表わした図面であり、図２は、本考案の一実施形態によるモジュール式電源分配装置から検出された電流量を表示する表示部を含んで表わした図面であり、図３は、本考案の一実施形態によるモジュール式電源分配装置の正面を表わした図面であり、図４は、本考案の一実施形態によるモジュール式電源分配装置を具現する回路図であり、図５は、本考案の一実施形態によるモジュール式電源分配装置を表わした斜視図である。
【００２１】
図１ないし図５に図示されたように、本考案の一実施形態によるモジュール式電源分配装置３０は、ケース１、メイン遮断器用端子２、分岐遮断器用端子３、４、追加用端子５、ボルト５−１、変流器６、Ａ／Ｄ変換器７、表示部８、線路９などで構成される。
【００２２】
前記モジュール式電源分配装置を構成する各技術的手段の機能を説明すれば、次の通りである。
【００２３】
前記ケース１は、メイン遮断器用端子２、分岐遮断器用端子３、４及び追加用端子５と連結される電源の分配線路９を保護するものであって、難燃性の絶縁物からなっている。
【００２４】
前記メイン遮断器用端子２は、前記ケース１の上面に位置し、メイン遮断器電源と線路によって連結されるものであって、複数個形成される。
【００２５】
前記分岐遮断器用端子３、４は、前記ケース１の両側面に位置し、分岐遮断器電源と線路によって連結されるものであって、複数個形成される。
【００２６】
前記追加用端子５は、前記ケース１の下面に位置し、前記ケースの表面を陥没させて形成され、外部の他の負荷端子または追加の分配線路と連結されるものであって、複数個形成される。前記メイン遮断器用端子２、分岐遮断器用端子３、４及び追加用端子５には、ネジ溝が形成されている。
【００２７】
前記変流器６は、前記ケース１内でメイン遮断器用端子２と分岐遮断器用端子３、４とが線路９によって連結され電源を供給されて流れた電流量を検出する。変流器のコアは、ナノ結晶粒合金、非晶質合金、フェライト、金属コアのうち何れか一つからなっている。
【００２８】
前記Ａ／Ｄ変換器７は、前記変流器６を通じて検出された電流データであるアナログデータをデジタルデータに変換させる。前記では、Ａ／Ｄ変換器７として使われたが、データの形態によってＤ／Ａ変換器に置き換えて使用可能である。
【００２９】
前記表示部８は、ケースの表面に位置し、前記Ａ／Ｄ変換器７で変換されたデータを表示する。
【００３０】
前述したようなモジュール式電源分配装置３０は、メイン遮断器端子が３個であることを実施形態としてあげたが、メイン遮断器端子の個数は、２個、４個はもちろんユーザが使用環境によって変更可能である。
【００３１】
図４と図６とに図示したように、メイン遮断器１０の下部Ｒ、Ｓ、Ｔ上に本考案のメイン遮断器用端子２であるＲ１、Ｓ１、Ｔ１端子を積層し、前記上部端子であるＲ１、Ｓ１、Ｔ１は、電源を下部端子であるＲ１−１、Ｓ１−１、Ｔ１−１に線路９を通じてそのまま供給する。また、左側の分岐遮断器用端子３であるＲ−Ｒ１、Ｒ−Ｓ１、Ｒ−Ｔ１と右側の分岐遮断器用端子４であるＬ−Ｒ１、Ｌ−Ｓ１、Ｌ−Ｔ１にも電源を線路９を通じて供給し、また電流の流れを変流器６を通じて検出できるようになっており、前記変流器６を通じて検出された電流データであるアナログデータを、Ａ／Ｄ変換器７でデジタルデータに変換させた後、表示部８でディスプレイさせる。前記線路９は、折曲された形状で製造される。
【００３２】
図１ないし図５に図示したように、前記Ｒ１、Ｓ１、Ｔ１、Ｒ−Ｒ１、Ｒ−Ｓ１、Ｒ−Ｔ１、Ｌ−Ｒ１、Ｌ−Ｓ１、Ｌ−Ｔ１の端子にはネジ溝５−２が形成されていて、遮断器ボルトを外した後に容易に組み立て可能になっており、下部端子であるＲ１−１、Ｓ１−１、Ｔ１−１は、ネジ式であって、本考案をさらに増設させる時に容易に利用されるようにボルトを使用して具現した。前記回路の構成では、電源Ｒ相はＲ１端子を通じてＲ−Ｒ１、Ｌ−Ｒ１、Ｒ１−１端子にＲ相の電源を線路９を通じて供給できるように一つの回路で構成され、Ｓ相はＳ１端子を通じてＲ−Ｓ１、Ｌ−Ｓ１、Ｓ１−１端子にＳ相の電源を線路９を通じて供給できるように一つの回路で構成され、Ｔ相はＴ１端子を通じてＲ−Ｔ１、Ｌ−Ｔ１、Ｔ１−１端子にＴ相の電源を線路９を通じて供給できるように一つの回路で構成されている。
【００３３】
図６は、本考案の一実施形態によるモジュール式電源分配装置が、メイン遮断器及び分岐遮断器と連結されて組み立てられた図面であり、図７は、本考案の一実施形態によるモジュール式電源分配装置が、メイン遮断器及び分岐遮断器と連結されて組み立てられた正面の形状を表わした図面であり、図８は、本考案の一実施形態によるモジュール式電源分配装置が、家庭用世帯分電箱と連結された状態を表わした図面である。
【００３４】
図６と図７とに図示されたように、モジュール式電源分配装置３０が、メイン遮断器１０及び分岐遮断器２０と連結されて組み立てられた平面と正面との形状を見ると、ユーザが容易にボルト５−１で固定連結して使うことができるようになっている。前記ボルトの以外に、ピン、その他の固定部材でも固定可能である。また、図８に図示したような、モジュール式電源分配装置３０が家庭用世帯分電箱と連結された状態で分かるように、モジュール式電源分配装置３０は一つのメイン遮断器１０及び複数個の分岐遮断器２０と連結して使うことができる。
【００３５】
前述したモジュール式電源分配装置の実施形態の外観形態は、一つの実施形態に過ぎず、同一構成及び作用を有するモジュール式電源分配装置であれば、当業者が、前記漏電遮断器の外観形態を変形及び変更可能であるので、前述した実施形態及び添付した図面に限定されるものではない。
【００３６】
また、前述したように、当業者が、本考案の技術的思想を外れない範囲内でさまざまな置き換え、変形及び変更可能であるので、前述した実施形態及び添付した図面に限定されるものではない。
【産業上の利用可能性】
【００３７】
本考案は、モジュール式電源分配装置に関連する技術分野に適用可能である。
【符号の説明】
【００３８】
１：ケース                            ２：メイン遮断器用端子
３、４：分岐遮断器用端子              ５：追加用端子
５−１：ボルト                        ５−２：ネジ溝
６：変流器                            ７：Ａ／Ｄ変換器
８：表示部                            ９：線路
１０：メイン遮断器                    ２０：分岐遮断器
３０：モジュール式電源分配装置
【図１】
0003152691.tif 000003
【図２】
0003152691.tif 000004
【図３】
0003152691.tif 000005
【図４】
0003152691.tif 000006
【図５】
0003152691.tif 000007
【図６】
0003152691.tif 000008
【図７】
0003152691.tif 000009
【図８】
0003152691.tif 000010